(57)【特許請求の範囲】
【請求項１】
直立円筒缶体の底部に原液を流入させ、且つ加熱手段を設けて原液の加熱蒸発が行われるようになすと共に、缶体の凡そ中間部箇所へ上向きに中皿を配設し、また缶体頂部を逆円錐形状の天井壁面に形成し、その上面側を冷却水溜めに形成するものとなし、缶体底部から蒸発する原液が天井壁面に接触し、且つこれを伝って中皿へ流入するものとし、天井壁面の中央下方箇所に対し、中皿の外径寸法の凡そ１／２〜１／３をその外径となるようになした上皿を上向きに配設すると共に、その周縁より一定寸法離れ、且つその下端投影線が中皿内へ位置する状態となした仕切壁を天井壁下面に垂設させ、中皿内の再蒸発液が天井壁面と接触し、且つこれを伝って上皿内へ流入する構成になしたことを特徴とする蒸溜装置。
【請求項２】
中皿の外周縁と缶体内周縁との間隙寸法を、缶体内径の凡そ１／６〜２／６となしたことを特徴とする請求項１記載の蒸溜装置。
【請求項３】
中皿内の蒸溜液と、上皿内の蒸溜液の取出し手段に二重管を使用し、内管から上皿の蒸溜液を、外管から中皿内の蒸溜液を適時取り出せるものとなしたことを特徴とする請求項１又は２記載の蒸溜装置。
【発明の詳細な説明】
【０００１】
【発明の属する技術分野】
本発明は、液体の蒸発現象を利用した新規な溶剤回収装置に関する。
【０００２】
【従来の技術】
溶剤回収装置としては特公昭５７−４２３８７号が一般的であり、電源や燃料などを使用しないものとしては特開平１０−１５６３３９号がある。ところで、木酢液や竹酢液などは土壌病害虫駆除や発芽菌の活性化促進に優れることが知られているが、これらを廃材や竹材などから得るにはその運搬費や大掛かりな装置も必要でコスト高となっている。
【０００３】
【発明が解決しようとする課題】
本発明は特に木酢酸や竹酢酸などを工場施設に頼ることなく適宜必要場所で効率良く生産せんとするものであり、簡便に持ち運び可能であり、且つ製造コストの安価な装置を提供せんとするものである。
【０００４】
【課題を解決するための手段】
本発明の特徴は、直立円筒の底部に原液を流入させ、且つ加熱手段を設けて原液の加熱蒸発が行われるようになすと共に、缶体の中間部箇所へ上向きに中皿を配設し、また缶体頂部を逆円錐形状の天井壁面に形成し、その上面側を冷却水を流入させるものとなし、缶体底部から蒸発する原液が天井壁面に接触し、且つこれを伝って中皿へ流入するものとし、天井壁面の中央下方箇所に対し中皿の外壁寸法の凡そ１／２〜１／３をその外径となるようになした上皿を上向きに配設すると共に、その周縁より一定寸法離れ、且つその下端投影線が中皿内へ位置する状態となした仕切壁を天井壁下面に垂設させ、中皿内の再蒸発液が天井壁面に接触し、且つこれを伝って上皿内へ流入する構成とする。
なお、直立円筒の外径寸法は凡そ５０ｃｍ〜１ｍ、高さ寸法は凡そ１．５ｍから２ｍとなされるのであり、また中皿の外周縁と缶体内周縁との間隙寸法ｓは缶体内径の凡そ１／６〜２／６の範囲で設計する。
【０００５】
【発明の実施の形態】
図１は本発明装置の概略断面図であって、１は耐酸ステンレスにより缶径を凡そ５０ｃｍ〜１ｍ、高さ寸法を１．５ｃｍ〜２ｍとなした直立円筒の有底缶体であり、２はその凡そ中央高さ付近に配設されてなる中皿である。該中皿は後述する原液の第一次蒸溜液を受けるためのものであり、その大きさ寸法は缶体内径の凡そ５／６〜４／６となされ、またその外周縁と缶体内壁面間には缶体内径の凡そ１／６〜２／６となる間隙ｓがあるようにして配設されてなる。
【０００６】
３は上記中皿２の上方で逆円錐形状をなした天井壁面であって、該天井壁面３の上面側は一定容積の冷却水溜め４に形成し、冷却水として水道水などの流入及び流出が行われるようになっている。
【０００７】
５は上記中皿２の中央上方で且つ逆円錐形状をなした天井壁面３の下方位置に配設した上皿であって、上記中皿２内の第一次蒸発液が再蒸発し、天井壁面３の中央部付近に接触して滴下するものとなる第二次蒸発液を受けるためのものである。
【０００８】
ところで、上皿５の大きさ寸法は上記中皿２の外径寸法の凡そ１／２〜１／３の大きさのものとなされるのであり、またその外周縁から一定寸法ｓ’に離れ、且つその下端投影線が中皿内へ位置する状態の仕切壁６を天井壁面３の下面側へ垂設状態に取り付けてある。このさい、上記仕切壁６の取付け位置やこれと上皿５との間隙寸法ｓ’は本発明者の数多の実験結果からして、前者は缶体内側壁から缶体内径の凡そ１／３〜１／４となる箇所であり、またｓ’は３ｃｍ〜６ｃｍ程度の範囲に設計することが好ましい。
【０００９】
７は蒸溜液の取出管であって、内管７ａと外管８ａの二重管の構成をなし、内管７ａは上端に拡大部７ｂを形成して上皿５の下面中央に垂設させた排出管５ａを、該拡大部７ｂ内に取り込むようになしてある。これに対し外管８ａもその上端に同様の拡大部８ｂを形成し、中皿２の下面中央に垂設させた排出管２ａを該拡大部８ｂ内に取り込むようになしてある。而して該二重管７の下端は缶体１の外側方へ突出させ、それぞれに開閉弁７ｃ及び８ｃを取り付けたものとなしてある。
なお、図面で９は原液供給管、１０はその開平バルブ、１１は加熱装置である。
【００１０】
本発明装置は上記の如き構成であって、次にこの使用について説明すると、原液１２は図示しないタンクから原液供給管９の開閉バルブ１０を開放し、適宜一定量が缶体１の底面内へ流入される。
ついで、加熱装置１１の点火で加熱が行われるのであり、このさい缶体上部の冷却水溜め４には水道水が流入されて天井壁面３の冷却が行われるようになしてある。運転中の天井壁面温度は通常３０℃〜６０℃である。
【００１１】
而して、一定時間の加熱で原液１２が沸点に到達して蒸発が始まると、その蒸発液ｍは中皿２の弧状下面を遣い、且つこれと缶体内側壁面との間隙ｓを上方に向け通過して冷却溜め４の天井壁面３に到達するのであり、ここで天井壁面３が逆円錐形状に形成されていることから、冷却されながら蒸発液ｍは該壁面をその周面から中央へ向かって下降するものとなり、且つそのさい該壁面の凡そ中程箇所には仕切壁６が垂設させてあることから、これを境に蒸発液ｍは垂直下方へ向け導かれて中皿２内へ滴下されるものとなる。
【００１２】
ところで、中皿２内へ滴下して貯留される上記の第一次蒸溜液は、缶内雰囲気温度で再蒸発されるのであり、該再蒸発液ｎは上皿５と仕切壁６との間隙ｓ’を通って天井壁面３に到達して冷却されるのであり、而してその中心部へ集められ、該中心部から上皿５内へ滴下されるものとなる。
【００１３】
斯くして、中皿２及び上皿５内に対し第一次蒸溜液と第二次蒸溜液が貯留されるものとなるのであり、前者は粗液、後者は精製液として缶体１の外側箇所で開閉弁８ｃ及び７ｃの操作で随時回収容器１３及び１４内へ取出すことのできるものとなる。
【００１４】
【実施例】
木材、竹材等を燻蒸焼成して木炭、竹炭を製造する際に発生する煙から木酢液及び竹酢酸（以下、木酢液等と云う）に含まれるタール分及び黒色粉塵を除去し、その粗液及び精製液の採取用に使用した。
本装置によれば、木酢液原液の粗精製及び超精製を単一缶体内で同時に可能になし、タール分の可及的な除去が行えるものとなる。よって、健康的でバイオエコロジックな木酢液が効率的に得られ、５％酢酸と有益希小成分を含有した液体としての活用を、即ち健康、入浴、美容、口臭除去や除菌等の如く巾広く容易且つ安価に展開できるものとなった。
【００１５】
上記は木酢液からタール分などの除去に関する使用であるが、海水、天水、溜水などからの不純物除去や、液体と混在する重金属などの分離除去などへの使用も可能である。
【００１６】
【発明の効果】
本発明は以上の如く構成するものであって、単一缶体内で同時に二段階蒸溜を可能となし、且つその一次蒸溜液及び二次蒸溜液は必要に応じ適宜取出せることができるのであり、シンプルで機能的に優れた構造で精製液の効率的な生産を可能になすことのできるものである。
なお、木酢液の精製で中皿から抽出される粗液は適宜な倍率、例えば数倍から１００倍、２００倍等の範囲で水に稀釈させ、果菜類に対し散布することにより果菜類の生長促進や病害虫予防に優れた効果を発揮させることのできるものである。これに対し精製液も同様に適宜稀釈しながら、口臭除去剤、入浴剤など人体への健康や美容展開を図るものである。
【図面の簡単な説明】
【図１】本発明装置の概略断面図である。
【符号の説明】
１      缶体
２      中皿
３      天井壁面
４      冷却水溜め
５      上皿
６      仕切壁
７      取出管
７ａ    内管
７ｂ    拡大部
７ｃ    開閉弁
８ａ    外管
８ｂ    拡大部
８ｃ    開閉弁
９      原液供給管
１０    開閉バルブ
１１    加熱装置
【図１】
0003826274.tif 000002